(57)【要約】【課題】本発明は、コンクリート構築物の立ち上がり部における防水層端末処理構造に関するものである。【解決手段】本発明の防水層端末処理構造は、端末処理部材と、前記端末処理部材とコンクリート躯体部との隙間をシールする防水層とから構成されている。前記端末処理部材は、コンクリート躯体部の立ち上がり部に取り付けられる垂直な垂直部材と、内部に防水層を入れる突出体と、上部にシーリング材を取り付けるシーリング取付体とから構成されている。前記垂直片は、コンクリート躯体部の立ち上がり部に、アンカー等によって防水層を介して取り付けられている。前記突出体は、前記垂直片の上部に連設されている。前記端末処理部材とコンクリート躯体部との間には、防水層が設けられ、侵入した雨水等を排除し易い構造になっている。【選択図】図１
2013217134.tif 000002
【特許請求の範囲】
【請求項１】
コンクリート躯体部の立ち上がり部を防水することができる防水層端末処理構造において、
前記立ち上がり部に取り付けられる垂直な垂直部材と、
前記垂直部材の上部に連設され、内部に傾斜した仕切り部を備えているとともに前記仕切り部とほぼ同じ傾斜部から構成されている突出体と、
前記突出体の上部に連設され、上部にシーリング部材を取り付けることができるシーリング取付体と、
からなる端末処理部材：
前記コンクリート躯体部と前記垂直部材との間に挟持されている第１の防水層と、
前記第１の防水層の上に設けられた端末処理を行う第２の防水層と、
前記突出体における仕切り部の上部に入れられて、端末処理を行う第３の防水層と、
前記シーリング取付体の上部で、前記コンクリート躯体の間に設けられた第４の防水層と、
からなる防水層：
から少なくとも構成されていることを特徴とする防水層端末処理構造。
【請求項２】
前記突出体は、上方から下方に向い、所定の間隔をもって傾斜している３つの傾斜体が防水層格納部および排水路を構成していることを特徴とする請求項１に記載された防水層端末処理構造。
【請求項３】
前記突出体における最上部の傾斜体は、下方に向かう垂下体がほぼ中間部に設けられていることを特徴とする請求項２に記載された防水層端末処理構造。
【請求項４】
前記突出体における仕切り部の上部に入れられた第３の防水層は、連続発泡ポリエチレンからなり、下部にスキン層が設けられていることを特徴とする請求項１に記載された防水層端末処理構造。
【請求項５】
前記突出体の内部には、ほぼ４５度の角度を有するレ型凸起が設けられていることを特徴とする請求項１に記載された防水層端末処理構造。
【発明の詳細な説明】
【技術分野】
【０００１】
本発明は、コンクリート構築物の立ち上がり部における防水層端末処理構造に関するものである。本発明は、たとえば、コンクリート構築物の屋上部分と立ち上がり部の近傍において、防水処理以外に防水層端末部分内における換気も同時に達成できる防水層端末処理構造に関するものである。
【背景技術】
【０００２】
たとえば、特開２００８−２４０４４５号公報に記載されている防水層端末押え金具は、防水層の端末を押圧保持する第１部材と、これと直交する短い第２部材とからなるアングル型の防水層端末押え金具で構成されている。前記防水層端末押え金具は、前記第１部材の防水層と対向する面に複数のリブを突設するとともに、前記リブを前記第１部材の自由端から１／２の範囲に形成している。
【０００３】
前記公開公報に記載されている防水層端末押え金具は、屋上やベランダ等における防水層の立ち上がり部端末に設置して雨水の浸入を防止するものである。前記防水層端末押え金具は、防水層の端末を押圧保持する第１部材と、これと直交する短い第２部材とからなり、前記第１部材の防水層と対向する面に複数のリブを突設するとともに、前記リブを前記第１部材の自由端から１／２の範囲に形成したので、軽量化を図るとともに、防水層の押さえ強度を向上することができるようになっている。
【先行技術文献】
【特許文献】
【０００４】
【特許文献１】特開２００８−２４０４４５号公報
【発明の概要】
【発明が解決しようとする課題】
【０００５】
前記防水層端末押え金具は、屋上およびベランダ等における防水層の立ち上がり部を固定するとともに、シーリング材で防水処理がなされていた。前記防水層端末押え金具は、形状が簡単であるため、施工が容易で、前記金具の費用と施工に必要な経費を安価にすることができるという利点を有する。しかし、前記防水層端末押え金具は、立ち上がり部と押え金具の間を伝わって滴下する水分、あるいは湿気等を考慮するものではなかった。前記防水層端末押え金具は、屋上およびベランダ等の風雨に曝されている場合が多く、前記公開公報に記載されているような構造のものでは水分および湿気の両方を十分に防ぐことができないことが判ってきた。
【０００６】
以上の課題を解決するために、本発明は、屋上またはベランダ等において、防水層の立ち上がり部に複数の異なる性質からなる複数の防水層を設けることにより、侵入した雨水の滴下を外部に排水できるようにするとともに、内部に籠もった湿気も除去する構造の防水層端末処理構造を提供することを目的とする。本発明の防水層端末処理構造は、端末処理部材の構造と、異なる性質の防水層の組み合わせによって、内部を通過する雨水を外部に排水するとともに、内部に籠もった湿気も速やかに排気することができる防水層端末処理構造を提供することを目的とする。
【課題を解決するための手段】
【０００７】
（第１発明）
第１発明の防水層端末処理構造は、コンクリート躯体部の立ち上がり部を防水することができるものであり、前記立ち上がり部に取り付けられる垂直な垂直部材と、前記垂直部材の上部に連設され、内部に傾斜した仕切り部を備えているとともに前記仕切り部とほぼ同じ傾斜部から構成されている突出体と、前記突出体の上部に連設され、上部にシーリング部材を取り付けることができるシーリング取付体と、からなる端末処理部材：
前記コンクリート躯体部と前記垂直部材との間に挟持されている第１の防水層と、前記第１の防水層の上に設けられた端末処理を行う第２の防水層と、前記突出体における仕切り部の上部に入れられて、端末処理を行う第３の防水層と、前記シーリング取付体の上部で、前記コンクリート躯体の間に設けられた第４の防水層と、からなる防水層：
から少なくとも構成されていることを特徴とする。
【０００８】
（第２発明）
第２発明の防水層端末処理構造において、前記突出体は、上方から下方に向い、所定の間隔をもって傾斜している３つの傾斜体が防水層格納部および排水路を構成していることを特徴とする。
【０００９】
（第３発明）
第３発明の防水層端末処理構造において、前記突出体における最上部の傾斜体は、下方に向かう垂下体がほぼ中間部に設けられていることを特徴とする。
【００１０】
（第４発明）
第４発明の防水層端末処理構造において、前記突出体における仕切り部の上部に入れられた第３の防水層は、連続発泡ポリエチレンからなり、下部にスキン層が設けられていることを特徴とする。
【００１１】
（第５発明）
第５発明の防水層端末処理構造において、前記突出体の内部には、ほぼ４５度の角度を有するレ型凸起が設けられていることを特徴とする。
【発明の効果】
【００１２】
本発明によれば、端末処理部材と防水層とを巧みに組み合わせることにより、防水層端末処理構造の内部に入って来た雨水および湿気を排除し易い構造になっている。
【００１３】
本発明によれば、端末処理部材における突出体を一方に傾斜させることにより、雨水および湿気がコンクリート躯体部から遠ざかる方向に移動できるようになっている。
【００１４】
本発明によれば、突出体およびシーリング取付体のそれぞれの構造、およびそれぞれの防水層によって、内部に入った雨水および湿気をコンクリート躯体部から遠ざかる方向に移動させることができる。
【００１５】
本発明によれば、異なる性質の防水層と前記端末処理部材の形状とが巧みにマッチングして、有効、かつ、効率的に雨水および湿気を外部に排除させることができる構造になっている。
【００１６】
本発明によれば、防水層端末処理構造部は、互いに連結体によって接続されているだけでなく、前記両者の接する所付近に沿って効率の良い排水を行うことができる。
【００１７】
本発明によれば、突出体における仕切り部の上部に嵌合されている防水層は、連続発泡ポリエチレンからなり、下部にスキン層が設けられているため、なお一層、雨水が前記コンクリート躯体部から遠い方向に滴下するようになっている。また、前記防水層は、突出体の内部に設けられたほぼ４５度の角度を有するレ型凸起に食い付き易い硬さからなるものである。
【図面の簡単な説明】
【００１８】
【図１】本発明の実施例で、端末処理部材を説明するための断面図である。（実施例１）
【図２】本発明の実施例で、端末処理部材におけるレ型凸起を説明するための図である。
【図３】本発明の実施例で、屋上またはベランダ等に施工された端末処理部材を説明するための断面図で、侵入した雨水の経路が判るものである。
【図４】（イ）から（ニ）は本発明の実施例で、第３の防水層が突出部に嵌合した状態を説明するための図である。
【図５】本発明における防水層端末処理構造の間に設けられた連結体を説明するための断面図である。
【発明を実施するための形態】
【００１９】
（第１発明）
第１発明の防水層端末処理構造は、屋上またはベランダ等のコンクリート構築物におけるコンクリート躯体部の立ち上がり部を防水するものである。前記防水層端末処理構造は、端末処理部材と、前記端末処理部材とコンクリート躯体部との隙間をシールする防水層とから構成されている。前記端末処理部材は、コンクリート躯体部の立ち上がり部に取り付けられる垂直な垂直部材と、内部に防水層を入れる突出体と、上部にシーリング材を取り付けるシーリング取付体とから構成されている。
【００２０】
前記垂直片は、コンクリート躯体部の立ち上がり部に、アンカー等によって防水層を介して取り付けられている。前記突出体は、前記垂直片の上部に連設されているとともに、たとえば、内部下方に傾斜した仕切り部を備えている。前記仕切り部は、ほぼ同じ傾斜角度から構成されており、後述の連続発泡ポリエチレンからなる防水層が取り付けられている。また、前記突出体の上部には、シーリング取付体を取り付けることができるシーリング取付部材が設けられている。
【００２１】
前記防水層は、たとえば、第１の防水層から第４の防水層によって構成されている。前記第１の防水層は、前記コンクリート躯体部と前記垂直片との間に挟持される。第２の防水層は、前記第１の防水層の上に設けられた端末処理を行うためのシーリング材からなる。第３の防水層は、斜め下方に突出している前記突出体における仕切り部の上部に設けられている部分に入れられる。第４の防水層は、前記シーリング取付体の上部で、前記コンクリート躯体部の間に設けられている。前記第４の防水層は、性質の異なる防水性部材を二重に設けて置くことができる。
【００２２】
前記防水層は、僅かの雨水が通過し、複数個形成されている空間部に入り、前記空間部から接合部の隙間に流出させることができ構造になっている。前記防水層は、たとえば、連続発泡ポリエチレン内において、毛細管現象、重力等によって、隙間等から流下し易い構造になっている。前記防水層は、雨水あるいは湿気を蒸発させることが可能である。
【００２３】
（第２発明）
第２発明の防水層端末処理構造において、前記突出体は、上方から下部に向かって垂下されている垂下体と、上方から下方に向かって傾斜を有する傾斜体とから構成されている。また、前記突出体は、内部において、上下斜め方向に仕切る仕切り部とからなる３つの傾斜体がコンクリート躯体部からほぼ平行するように突出して連設されている。また、前記傾斜体は、平行に作製され、防水層格納部と排水路から構成されている。前記上部の傾斜体と仕切り体との間、およびコンクリート躯体部との間は、防水層によって防水される。前記突出体は、前記防水層と隣合った第１の排水路と、前記防水層の下部に設けられた第２の排水路とが形成されるため、侵入された雨水の量により異なる経路を分散して通過し、排水および湿気を容易に外部に導出する。
【００２４】
（第３発明）
第３発明の防水層端末処理構造において、前記突出体における最上部の傾斜体は、垂下体がほぼ中間部において、下方に向かうように設けられている。前記最上部の傾斜体、中間の傾斜体、垂下体、およびコンクリート躯体部によって囲まれる空間部は、第３の防水層が取り付けられている。前記空間部は、第１排水路となって、雨水等を前記突出体のジョイント部の隙間から滴下させることができる。
【００２５】
前記防水層端末処理構造は、互いに隣り合った部分を連結体によって連結している。前記連結体は、前記突出体の上部において、一部が突出体の内部に入り、互いに嵌合することにより結合される。また、前記連結体は、前記突出体の下部において、下部を覆って抱持するように互いに嵌合できる形状になっている。前記連結体は、上部および下部において、隣合った防水層端末処理構造から雨水が内部に逆流しないような構造になっているとともに、雨水が前記連結体の間を流れるようになっている。
【００２６】
（第４発明）
第４発明の防水層端末処理構造において、前記突出体における仕切り部の上部に入れられた第３の防水層は、連続発泡ポリエチレンからなり、下部にスキン層が設けられている。前記スキン層は、連続発泡ポリエチレンの防水層を金型で作製する際に、前記金型面に接する部分が厚い皮膜になったものである。前記スキン層は、水蒸気を通し（透湿性）、水を通さないような構造になっている。なお、前記スキン層の外表面は、皮膜の厚さを調整して湿る程度にすることが望ましい。
【００２７】
（第５発明）
第５発明の防水層端末処理構造において、前記突出体は、その内部にほぼ４５度の角度を有するレ型凸起が複数個設けられている。前記レ型凸起は、前記防水層に食い付き易く、前記防水層を外し難い構造になっている。
【実施例１】
【００２８】
図１は本発明の実施例で、防水層端末処理構造を説明するための断面図である。図２は本発明の実施例で、防水層端末処理構造におけるレ型凸起を説明するための図である。図３は本発明の実施例で、屋上またはベランダ等に施工された防水層端末処理構造を説明するための断面図で、侵入した雨水の経路が判るものである。図１および図３において、防水層端末処理構造は、屋上またはベランダ等のコンクリート構築物におけるコンクリート躯体部３１の立ち上がり部を防水するものであり、垂直部材１と、突出体２と、シーリング取付体３とからなる端末処理部材が、アルミ型材等によって、一体に成形されている。また、前記防水層端末処理構造は、前記コンクリート躯体部３１との間に複数個の形状および構成の異なる防水層が設けられている。
【００２９】
まず、図１における端末処理部材について説明する。前記端末処理部材は、コンクリート躯体部３１の立ち上がり部に沿った垂直部を有する垂直部材１と、前記垂直部材１に折れ曲がるように連設された、ほぼヨ字型に形成されている突出体２と、前記前記突出体２の上方に連設されており、防水層を取り付けるシーリング取付体３とから構成されている。
【００３０】
前記垂直部材１は、コンクリート躯体部３１の立ち上がり部に沿うようにほぼ垂直な第１垂下片１１を備えており、図３に示すアンカーボルト３３によってコンクリート躯体部３１に取り付けられている。前記第１垂下片１１は、下方外部に向かって延びる第１傾斜片１５が連設されている。前記第１垂下片１１は、前記第１傾斜片１５と反対側にやや下方に傾斜する第２傾斜片１６が連設されている。前記第２傾斜片１６は、垂直な第２垂下片１２が連設されている。前記第２垂下片１２の下方は、前記第２傾斜片１６の下方より突出するように成形されている。
【００３１】
第２垂下片１２は、上方に向かって傾斜する第４傾斜片１８が連設されている。また、第２垂下片１２は、ほぼ中間部において、第２傾斜片１６および第４傾斜片１８とほぼ同じ傾斜からなる第３傾斜片１７がコンクリート躯体部３１に向かって、斜め上方に突出している。すなわち、第１傾斜片１５、第２傾斜片１６、第３傾斜片１７、および第４傾斜片１８は、ほぼ平行した傾斜に構成されている。さらに、第４傾斜片１８は、ほぼ中間部から下方に向かって第４垂下片１４が連設されている。
【００３２】
第４傾斜片１８は、前記コンクリート躯体部３１に沿うように、上方に向かって第３垂下片１３が連設されている。前記第３垂下片１３は、上部において、ほぼ水平なシーリング取付体３が連設されている。前記水平なシーリング取付体３は、前記第３垂下片１３の延長上に水平な水平頂部１９と、前記水平頂部１９に連設され、内方に巻き込むように、断面コ字型部２０が一体に成形されている。前記第１垂下片１１のコンクリート躯体部３１側には、Ｖ字型突起２１が設けられている。また、前記第３傾斜片１７および第４傾斜片１８の内側には、レ字型突起２２が設けられている。前記Ｖ字型突起２１およびレ字型突起２２は、防水層３５（図３参照）等に食い付き易いような構造になっている。
【００３３】
図２に示す防水層端末処理構造におけるレ型凸起２２は、第３傾斜片１７および第４傾斜片１８に対して４５度となる傾斜を有する。前記傾斜は、一旦、内部に入った防水層が食い付き、外れないだけでなく、雨水等がコンクリート躯体部側に行かないような構造になっている。前記防水層は、たとえば、連続発泡ポリエチレンからなり、雨水等から守るようになっている。図１に示す端末処理部材（１、２、３）は、たとえば、アルミ等の合金からなり、押し出し用金型により作製される。
【００３４】
図３において、前記端末処理部材（１、２、３）は、たとえば、第１の防水層から第４の防水層をコンクリート躯体部３１の間に入れることにより処理されている。前記第１の防水層３２は、前記コンクリート躯体部３１と前記垂直部材１との間に挟持されており、たとえば、アスファルト防水層、ウレタン防水層、シート防水等のいずれかから構成される。第２の防水層３４は、前記第１の防水層３２の上に設けられた端末処理を行うための防水性材料からなるシーリング材である。第３の防水層３５は、コンクリート躯体部３１、斜め下方に突出している前記第３傾斜片１７および第４傾斜片１８、前記第２垂直片１４によって囲まれる部分に収容される。前記防水層３５は、たとえば、連続発泡ポリエチレンからなる。
【００３５】
また、前記連続発泡ポリエチレンは、必要に応じて、下部にスキン層３５１が設けられている。前記スキン層３５１は、連続発泡ポリエチレンの防水層を金型で作製する際に、前記金型面に接する部分が厚い皮膜となって形成され、厚さを任意にすることができる。前記スキン層３５１は、水蒸気を通し（透湿性）、水を通さないような厚さの構造にすることができ、前記スキン層３５１の外表面が湿る程度にできる。
【００３６】
図３おける防水層３７は、シーリング部材が二種類から構成されている。前記防水層３７、３５は、内部にたとえ入った水分があっても、外壁（コンクリート躯体部３１）に沿って、矢印のように隙間から外部に流出させることができる構造になっている。そして、前記滴下した滴４３は、第２垂直片１２の下端で、突出した先から滴下する。
【００３７】
図３において、前記突出体２は、上方から下部に向かって垂下されている垂下片１２と、上方から下方に向かって傾斜を有する３本の傾斜片１６、１７、１８とから構成されている。また、前記突出体２は、内部において、前記傾斜片１７によって仕切られている。また、前記第４傾斜片１８および第３傾斜片１７と、第４垂下片１４は、これらによって形成されている内部に前記連続発泡ポリエチレン３５が嵌合されて、防水層格納部を構成するとともに、図３の矢印によって示す排水路が構成されている。前記突出体２は、前記防水層３５からなる第１の排水路と、前記防水層３５の下部に設けられた第２の排水路とが形成されるため、侵入された雨水の量により異なる経路を分散して通過し、排水および湿気を容易に外部に導出する。
【００３８】
前記防水層端末処理構造は、前記最上部の第３傾斜片１８、中間に位置する第３傾斜片１７、第４垂下片１４、およびコンクリート躯体部３１によって囲まれる空間部に防水層である連続発泡ポリエチレン３５が取り付けられている。前記構成の空間部は、第１排水路となって、雨水等を前記突出体のジョイント部の隙間から滴下させることができる。
【００３９】
図４（イ）から（ニ）は本発明の実施例で、第３の防水層が突出部に嵌合した状態を説明するための図である。図４（イ）および（ロ）において、前記防水層３５は、外れないような形状であるレ型突起２２に係合する。前記防水層３５のスキン層３５１は、図４に示すように省略することも可能である。また、前記防水層３５は、図４（ニ）に示すように、形状の異なる防水層３５′とすることも可能である。図４の実施例は、図３と異なり、防水層３６が設けられている。防水層を二重にすることにより、コンクリート躯体部３１の水分の浸透を少なくすることができる。
【００４０】
図５は本発明における防水層端末処理構造の間に設けられた連結体を説明するための断面図である。図５において、連結体５１は、防水層端末処理部材どうしを互いに隣り合った部分によって連結している。前記連結体５１は、前記突出体２の上部において、上部が突出体１のコ字状部２０の内部に入り、防水層端末処理部材を互いに嵌合することにより結合される。また、前記連結体５１は、前記突出体２における第２垂下片の下部において、下部を覆って抱持するように互いに嵌合できる形状になっている。前記連結体５１は、上部および下部において、隣合った防水層端末処理構造から雨水が内部に逆流しないような構造になっているとともに、雨水が前記連結体５１の間を伝わって流れるような経路が形成されている。
【００４１】
以上、本発明の実施例を詳述したが、本発明は、前記本実施例に限定されるものではなく、特許請求の範囲に記載されている事項を逸脱することがなければ、種々の設計変更を行うことが可能である。本実施例における防水層端末処理構造材質は、アルミニウム合金が最適であるが、公知または周知の部材に変えることができる。また、前記防水層端末処理構造の細部の形状は、公知または周知の形状に変えることができるものである。
【符号の説明】
【００４２】
１・・・垂直部材
２・・・突出体
３・・・シーリング取付体  
（１、２、３・・・端末処理部材）
１１・・・第１垂下片
１２・・・第２垂下片
１３・・・第３垂下片
１４・・・第４垂下片
１５・・・第１傾斜片
１６・・・第２傾斜片
１７・・・第３傾斜片
１８・・・第４傾斜片
１９・・・水平頂部
２０・・・コ字状部
３１・・・コンクリート躯体部
３２・・・アスファルト防水層
３３・・・アンカーボルト
３４・・・端末処理部
３５・・・連続発泡ポリエチレン
３６・・・防水層
３７・・・シーリング部材
３８・・・第１排水路
３９・・・第２排水路
４０から４３・・・水滴
【図１】
2013217134.tif 000003
【図２】
2013217134.tif 000004
【図３】
2013217134.tif 000005
【図４】
2013217134.tif 000006
【図５】
2013217134.tif 000007